(57)【要約】  本発明は、全方向性トレッドミルを対象とし、この全方向性トレッドミルは、支持フレーム（４）と、第１の空間方向において回転して移動される継目なしベルト（２）とを含む、いくつかの接続されたベルトユニット（１）を有する。第２の空間方向において、ベルトユニット（１）の継目なしベルト（２）が移動される。継目なしベルト（２）は、好ましくは、ロール（３）に取り付けられた歯車（１２）により、または、歯付き軸（１３）により、第２の空間方向において駆動される。継目なしベルト（２）の移動は、ベルトユニット１間に配置された特別な歯形のクラウン歯車（１５）との連結によって同調される。【選択図】図２
2020503911.tif 000002
【特許請求の範囲】
【請求項１】
２つの空間方向において移動可能な表面を持つデバイスであって、第１の空間方向に移動可能な複数のベルトユニット（１）が少なくとも１つの駆動手段（９）によって駆動されることが可能であり、前記ベルトユニット（１）のそれぞれが支持フレーム（４）を備え、前記ベルトユニット（１）の各支持フレーム（４）は、固定距離において軸線（６）を形成する１つまたは複数の回転接続を介して、隣接するベルトユニット（１）の支持フレーム（４）に枢動接続されており、前記ベルトユニット（１）が、第２の空間方向における移動のために駆動部に連結されているロール（３）および継目なしベルト（２）を備える、デバイスであって、ロール（３）の回転運動が、歯形を有するクラウン歯車（１５）により、隣接する前記ベルトユニット（１）のロール（３）に結合され、前記歯形によって、駆動側のロール（３）の可変の回転運動が被動側のロール（３）に継続的に伝達されることが、係合プロフィルの領域内のありかつ前記ロール（３）の回転軸線の交点の外側に位置する軸線（６）について前記ロール（３）の前記回転軸線間の角度（２７）が変化するときに、可能となることを特徴とする、デバイス。
【請求項２】
前記クラウン歯車（１５）が、クラウン歯車ホイールの回転軸線（１８）に平行な回転軸線と、円のセグメントの形態をした前記回転軸線に直角な断面とを有する回転体の一部分の形態の歯形（１６）を備えることを特徴とする、請求項１に記載のデバイス。
【請求項３】
前記クラウン歯車（１５）に、切頭円錐の形態の歯形（１６）が与えられ、前記切頭円錐が、場合により２つの部分的な切頭円錐で構成され、また、前記切頭円錐の円錐軸線が、前記クラウン歯車ホイールの前記回転軸線（１８）に平行に整列されることを特徴とする、請求項１に記載のデバイス。
【請求項４】
前記部分的な円錐または部分的な切頭円錐が、前記円錐軸線に対して８．５°から１３°の間、好ましくは８．５°から１０．５°の間のテーパ角度（２５）を有する直線母線によって形成されることを特徴とする、請求項２または３に記載のデバイス。
【請求項５】
前記クラウン歯車（１５）に、２つの直線母線によって形成された回転体または回転体の一部分の形態の歯形（１６）が与えられ、前記直線母線のうちの第１の母線が、前記円錐軸線に対して５°から１３°の間、好ましくは８．５°から１０．５°の間のテーパ角度（２５）を有し、第２の母線が、前記円錐軸線に対して８°から１５°の間のテーパ角度（２９）を有し、第１の円錐から第２の円錐への接続が、好ましくは、前記回転体の中央部分を形成するために丸み線母線（ｒｏｕｎｄ  ｌｉｎｅ  ｇｅｎｅｒａｔｒｉｘ）を用いてなされ、それにより、前記丸み線の前記テーパ角度が、前記丸み線の経路において前記円錐の前記テーパ角度間の値を有することを特徴とする、請求項２に記載のデバイス。
【請求項６】
前記クラウン歯車（１５）に、回転体の形態の歯形（１６）が与えられ、前記回転体が、場合により２つの部分的な回転体で構成され、また、前記２つの部分的な回転体の回転軸線が、前記クラウン歯車ホイールの前記回転軸線（１８）に平行に整列されることを特徴とする、請求項５に記載のデバイス。
【請求項７】
前記ベルトユニット（１）に回転可能に接続されたローラ（７）が、前記第１の空間方向においてレール（８）上を走行し、ローラ（７）の回転軸線が、ベルトユニット（１）の隣接する前記ベルトユニット（１）との枢動接続の前記軸線（６）に一致することを特徴とする、請求項１から６のいずれか一項に記載のデバイス。
【請求項８】
前記ロール（３）が、前記ローラ（３）に接続された歯車（１２）によって駆動される
ことを特徴とする、請求項１から７のいずれか一項に記載のデバイス。
【請求項９】
少なくとも１つのクラウン歯車（１５）が、歯車（１２）に接続され、前記歯車（１２）が、０°の角度（２７）の位置において、前記第１の空間方向に平行に配置された少なくとも１つの歯付き軸（１３）に係合することを特徴とする、請求項１から８のいずれか一項に記載のデバイス。
【請求項１０】
前記クラウン歯車（１５）が、０°の角度（２７）の位置において、部分的にまたは完全に前記歯車（１２）内に配置されることを特徴とする、請求項８または９に記載のデバイス。
【請求項１１】
前記第１の空間方向における駆動が、カム（１０）が取り付けられる前記駆動手段（９）によるものであり、前記カム（１０）が、前記第１の空間方向において前記ベルトユニット（１０）に係合して前記ベルトユニット（１）を前記第１の空間方向において駆動することを特徴とする、請求項１から１０のいずれか一項に記載のデバイス。
【請求項１２】
前記駆動手段（９）が、前記カム（１０）が取り付けられる、駆動される少なくとも１つの歯付きベルトまたは駆動される少なくとも１つの好ましくは細かく連結されたチェーンで構成され、前記は付きベルトまたは前記チェーンに前記カム（１０）が取り付けられることを特徴とする、請求項１１に記載のデバイス。
【発明の詳細な説明】
【技術分野】
【０００１】
本発明は、２つの空間方向において移動可能な表面を有するデバイスを対象とし、具体的には、全方向性トレッドミルを対象とする。
【背景技術】
【０００２】
従来のトレッドミルは、人がその上で１つの空間方向において移動することができる表面を有する。トレッドミルは、ジョギングのためにフィットネスやホームエリアで使用されている。トレッドミルは、場所を変えることなしに、前方または後方に任意の長さの距離をカバーすることを可能にする。
【０００３】
仮想現実（ＶＲ）アプリケーションの場合、ユーザは、仮想的にアプリケーション内でまたはゲーム内で移動する。ユーザは、ゲーム環境をシミュレーションするためにＶＲグラスを着用することが多く、このＶＲグラスを用いることで、ゲーム環境およびゲームの経過が、ユーザに視覚的かつ聴覚的に示される。これらのＶＲアプリケーションでは、プレーヤーが場所を変えることなしに、すなわちプレーヤーの空間位置を著しく変えることなしに例えば歩行または走行により任意の水平の空間方向に（全方向に）仮想的に移動できることが、必要である。
【０００４】
本発明は、ＶＲアプリケーションに限定されるものではなく、また、水平の空間方向のみに限定されるものではないことが、留意されるべきである。しかし、好ましい応用分野を考慮すると、ＶＲアプリケーションでのユーザの空間位置を著しく変えることなしに移動、特に歩行または走行を可能にすることが、引き続き例示の焦点に置かれる。
【０００５】
空間位置の著しい変更を伴わずに任意の水平の空間方向における仮想の歩行または走行を可能にするために、いくつかの知られた設計がすでに存在する。
【０００６】
トレッドミルを含む設計は、以下に挙げられる文献から知られている。
【０００７】
特許文献１は、全方向性トレッドミルのための複数の解決策を提案している。解決策のほとんどは、小さな部品を多く必要とし、かつ、ランナー踏面（ｒｕｎｎｅｒ  ｔｒｅａｄ  ｓｕｒｆａｃｅ）に不十分な特性を与える。その説明（００８１）〜（００８５）では、互いに連結された循環するベルトユニットが説明されており、このベルトユニットは、良好な走行面を形成し、また、このベルトユニットにより、第１の空間方向における走行面の移動が行われる。第２の空間方向における移動のために、走行面のゾーン内のベルトユニット上の継目なしベルトが、特別な摩擦ローラによって個別に移動される。継目なしベルトの移動は摩擦によってのみ間接的に結合されるので、高い負荷では、隣り合った継目なしベルトの移動に差違がある。トレッドゾーンの外側に配置された継目なしベルトは、駆動されず、かつ、トレッドゾーンの入口においてのみ結合される。結合過程中に、負荷衝撃（ｌｏａｄ  ｓｈｏｃｋ）および追加の摩耗が生じる。
【０００８】
特許文献２は、横方向に案内される大型の主ベルトによって移動される複数のベルトユニットを提案している。個別のベルトユニットは、並んで配置されて、表面を形成する。ベルトユニット上のベルトの移動のために、２つの歯車を備えるロールを用いて各ベルトを駆動することが提案されている。歯車は、歯付き軸によって駆動される。欠点は、ベルトユニットの歯車が、カーブ段階中に歯付き軸と接触せず、ベルトユニットが歯付き軸と再び接触するときに歯付き軸と突然係合されることである。推移段階中、遅延、騒音、ひいては摩耗の増大の原因となる衝撃が発生する。加えて、個々のベルトユニットは、摺動
面を含む安定した支持フレームを有さず、このことは、ベルト単独では安定性の乏しい表面しか得られないので、負の効果を有する。
【０００９】
特許文献３もまた、主ベルト上の個別のベルトユニットを提案している。個別のベルトユニットは、油圧モータおよび支持構造体を備える。ベルトユニットの全ての油圧モータは、油圧で直列に接続されており、したがって、同じ搬送速度を有する。欠点は、油圧モータを含む複雑で高価な構成のほかに、多数の油圧要素の少々遅い応答挙動である。
【００１０】
特許文献４は、チェーンホイールおよびチェーンにより第１の空間方向において移動され、かつ、オムニホイール（Ｏｍｎｉ−ｗｈｅｅｌ）として設計された接触要素を介した摩擦により第２の空間方向において駆動される、個別のベルトユニットを提案している。ベルトユニットは、第１の空間方向における移動の伝達のために、小ピッチのチェーンに一点でのみヒンジ接続されている。チェーンへの第２の接続は、変位可能性を有し、したがって、カーブにおいてベルトユニットの非対称の位置をもたらす。個々のベルトユニット上のベルトの移動は、定速度継手、波形管、またはカルダン継手などの結合要素を介して結合される。結合の長さの変化を補正するために、摺動要素が設けられる。摺動要素を含まない波形管は、耐用寿命が短い。この発明の欠点は、ベルトユニットが、互いに直接に接続されるのではなくチェーンを介して間接的にのみ接続されており、したがって、結合要素が、必要な位置まで入念に運ばれなければならないことである。長さ補正のために、結合要素の両側に追加の摺動要素が必要とされ、ロールの回転軸線の交差点に結合要素を維持するための用意がなされていないので、摺動要素は詰まる傾向がある。
【００１１】
特許文献５もまた、主ベルト上に固定されて移動される個別のベルトユニットを提案している。ベルトユニットは、全て、ベルトの下側上の傾斜したランにより次のベルトユニットへ案内される、非常に長い共通の継目なしベルトを有する。したがって、ベルトユニットの全ての搬送面は、同じ搬送速度を有する。継目なしベルトは、楕円体ローラを介した摩擦によって駆動される。この設計の欠点は、急速な速度変化の場合に慣性力に起因して局所的な伸びをもたらし、したがって継目なしベルトの歪みをもたらす、長い継目なしベルトである。
【先行技術文献】
【特許文献】
【００１２】
【特許文献１】ＥＰ０９４８３７７Ｂ１
【特許文献２】米国特許第６，１２３，６４７Ａ号
【特許文献３】ＤＥ１０２００６０４０４８５Ａ１
【特許文献４】米国特許第７，７８０，５７３Ｂ１号
【特許文献５】米国特許第８，７９０，２２２Ｂ２号
【発明の概要】
【発明が解決しようとする課題】
【００１３】
本発明の目的は、上述の既知のデバイスの欠点を有さないデバイスを作り出すことである。
【課題を解決するための手段】
【００１４】
本発明によれば、この目的は、請求項１に記載の特性を有するデバイスによって達成される。
【００１５】
本発明の優先的な実施形態および有利な実施形態が、さらなる請求項の主題である。
【００１６】
本発明によれば、平面の任意の方向における走行を可能にする全方向性トレッドミルが
提供される。
【００１７】
本発明の個々の実施形態は、図面によって大まかに示され、また、以下で説明される。
【図面の簡単な説明】
【００１８】
【図１】本発明の可能な一実施形態における循環ベルトユニットの側面図である。
【図２】循環の様々な位置における本発明の一実施形態のベルトユニットのロールを側面図で示す図である。
【図３】本発明の一実施形態におけるデバイスの主要な機能を含む斜視図である。
【図４】本発明の一実施形態の側面図である。
【図５】本発明のクラウン歯車の歯の設計図である。
【図６】本発明のクラウン歯車の歯の別の設計図である。
【図７】一体化された駆動歯車を含むクラウン歯車の一バージョンの斜視図である。
【発明を実施するための形態】
【００１９】
図１は、ロール３およびロール２１上で第２の空間方向において循環する連続的な継目なし主ベルト２を含むベルトユニット１の可能な一実施形態を側面図で示す。ロール３およびロール２１は、ベルトユニット１の支持フレーム４に回転可能に取り付けられている。ブラケット５が、支持フレーム４に取り付けられる。ブラケット５は、軸線６において、隣接するベルトユニット１の支持フレームに取り付けられた別のブラケット５に旋回取付け（ｓｗｉｖｅｌ−ｍｏｕｎｔ）される。
【００２０】
それにより、全てのベルトユニット１が連続的なチェーンを形成するように、隣接するベルトユニット１は、旋回され得るブラケット５を介して次のベルトユニット１に接続され、それが続く。
【００２１】
隣り合ったベルトユニット１の接続部によって画定される同じ軸線６上には、空間的に固定されたレール８上を走行するローラ７が配置される。
【００２２】
レール８は、ベルトユニット１の完全な循環が第１の空間方向において行われ得るように、両端に半円形のレールを備える（図２）。
【００２３】
図２は、互いに接続された、循環の一部分におけるベルトユニット１のいくつかのロール３を示す。循環において、ベルトユニットは、固定されたレール８上でローラ７によって案内される。ロール３のその軸線の周りでの回転運動は、以下で説明されるクラウン歯車１５により、隣接するベルトユニット１のロール３の回転運動と結合される。隣り合ったロール３の回転軸線間の角度２７は、中心点６において広い範囲にわたって変更される。クラウン歯車１５の１つのクラウンホイールが、それぞれ関連するロール３に固定されて、ロール３とともに固定回転ユニットを形成する。隣り合ったロール３の回転運動の結合は、長さ補正のための摺動要素などのさらなる要素を必要とせずに、軸線６の近傍での直接接触により、クラウン歯車を用いて行われ得る。
【００２４】
隣り合ったロール３の回転軸線の角度変更２７のための軸線６は、旋回接続部（ｓｗｉｖｅｌ  ｃｏｎｎｅｃｔｉｏｎ）によって形成される。軸線６は、レール８上を走行するローラ７の回転軸線と同じ位置を有する。
【００２５】
図３は、本発明によるデバイスの主要な機能を簡易化した概観で示す。上部の歩行可能部分内に横たわっているベルトユニット１は、それらの継目なしベルト２によって水平面を形成するように、並んで配置されている。ベルトユニット１は、固定されたレール８（図２）に沿ってローラ７とともに転動し、それにより、第１の空間方向における移動が行
われる。ベルトユニット１の継目なしベルト２を移動させることにより、第２の空間方向における移動が行われる。主要な２つの移動方向の組合せ（図３では２重矢印によって象徴されている）において、平面での任意の移動方向が達成可能である。
【００２６】
第１の空間方向における駆動は、駆動手段９を移動させる駆動輪１１によって引き起こされ、駆動手段９は、それにより、第１の空間方向においてベルトユニット１を移動させる。
【００２７】
示された実施形態での第２の空間方向における駆動は、ベルトユニット１のロール３にそれぞれが接続された歯車１２によるものである。歯車１２は、第１の主軸線に平行な歯付き軸１３によって駆動され得る。歯付き軸１３は、駆動輪１４を介して駆動され得る。歯車１２を回転させることにより、継目なしベルト２によって形成された平面が、第２の空間方向において移動される。
【００２８】
図４は、第１の空間方向における循環においてローラ７によりレール８上に配置されている複数のベルトユニット１を、側面図で示す。直線状のレール８の端部において、ベルトユニット１は、曲線状のレールによって案内され、かつ、さらに連結されて、継目なしチェーンを形成する。ベルトユニット１の幅に起因するローラ７間の距離は、直線状のレール８の端部では半円形のレールの半径に関連して大きいことが、図から分かる。チェーンホイールを用いた駆動の場合、カーブでは強力な多角形効果が生じるはずである。これは、好ましい実施形態では、第１の空間方向に駆動するための継目なし駆動手段９を使用することによって回避される。駆動手段９は、好ましくは歯付きベルトとして設計された、可撓性ベルトから成る。駆動手段９は、それ自体の楕円形軌道を有し、かつ、カム１０を備え、このカム１０は、軌道の直線部分においてベルトユニット１と接触して、第１の空間方向におけるベルトユニット１の移動を生じさせる。
【００２９】
図５は、本発明のクラウン歯車の歯の設計を詳細図で示す。
【００３０】
以下の条件下で１つのベルトユニット１のロール３の回転運動を隣接するベルトユニット１のロール３に伝達するクラウン歯車１５が、本発明に有利である：
（ｉ）構造体の低い全高のために、伝達は、ロール３の回転軸線の広い角度範囲２７にわたって、例えば０°から６０°の間で行われるべきである。
（ｉｉ）駆動クラウンホイールの軸線１８の周りでの回転運動は、あらゆる動作条件下で連続的にかつ顕著な時間遅延を伴わずに、軸線１９の周りの駆動クラウンホイールに伝達されるべきである。これは、回転速度の変更および回転方向の変更に特に適用される。
（ｉｉｉ）ロール３の回転軸線の角度２７の変更の軸線６は、最大の角度２７におけるベルトユニット同士の衝突が回避されるように、回転軸線１８および１９の交点の外側で遠くに配置されるべきである。
【００３１】
上記の伝達のための条件は、本発明によれば、クラウン歯車によって遂行され、このクラウン歯車のクラウン歯車ホイール（ｃｒｏｗｎ  ｇｅａｒ  ｗｈｅｅｌ）は、円錐の一部分のような形状の歯形を有し、駆動するクラウン歯車ホイールおよび駆動されるクラウン歯車ホイールは、好ましくは同じ歯形を有する。歯１６、１７は、完全な回転対称の切頭円錐（図５）で、または２つの部分的な円錐（図６）で構成され得る。部分的な円錐または切頭円錐は、クラウンホイールの回転軸線に平行な円錐軸線を有する。円錐面は、円錐軸線に直交する切り口が円形のまたは弓形の断面をもたらすように、円錐軸線の周りで母線を回転させることによって生成されることが好ましい。
【００３２】
図５は、直線母線によって生成された完全な回転対称の切頭円錐の一実施形態を説明する。駆動輪の円錐１６は、接触点２０において被駆動輪の円錐に接触する。回転軸線１８
および１９を含む歯車は、軸線６を使用して、旋回角度２７まで旋回される。円錐生成線（ｃｏｎｅ  ｇｅｎｅｒａｔｉｎｇ  ｌｉｎｅ）の回転軸線２４は、駆動クラウンホイールの回転軸線１８に平行である。
【００３３】
直線母線は、回転軸線２４に対してテーパ角度２５で傾いている。テーパ角度は、８．５°から１３°の間、好ましくは８．５°から１０．５°の間である。好ましいテーパ角度範囲は、要件（ｉ）および（ｉｉ）の特に有利な解決策を提供するが、アンダーカットを避けるために、低い歯高さを必要とする。アンダーカットは、切頭円錐の縁部に食付き部２８を適用することにより、歯高さの減少を伴わずに回避され得る。食付き部２８のための第２の円錐母線は、テーパ角度２９を含む直線である。
【００３４】
テーパ角度２５を有する円錐からテーパ角度２９を有する円錐への接続は、丸みによってなされることが好ましい。それによって得られる回転体は、２つの直線母線の第１のテーパ角度から第２のテーパ角度まで進行するテーパ角度を有する弧を母線として優先的に有する。
【００３５】
可能な一実施形態では、直線母線のうちの少なくとも１つの長さは、ゼロまで減少されてもよく、それにより、弧の最終的な角度のみが固定され、食付き部２８は単純な丸みとして現れる。
【００３６】
図６は、クラウン歯車ホイールの歯１６および１７を形成するために２つの部分的な円錐がどのようにして一緒に組み立てられ得るかの一例を示す。クラウン歯車ホイールの歯１６は、部分円錐２２、および鏡面対称に配置された部分円錐２３から成る。鏡面対称に配置された部分円錐２３は、回転軸線１８に沿った回転方向の変更後に駆動接触を引き継ぐ。部分円錐２２に対して、円錐生成軸線２４およびテーパ角度２５が記される。円錐生成軸線２４は、駆動クラウンホイールの回転軸線１８に平行である。部分円錐の表面は、回転軸線２４に対してテーパ角度２５を有する直線の回転によって生成される。完全な切頭円錐のために図５で説明されたのと同じテーパ角度範囲が、図６の部分円錐にも適用される。
【００３７】
図７は、クラウン歯車１５の１つのクラウン歯車ホイールが駆動歯車１２と組み合わせられている、クラウン歯車の好ましい一実施形態を示す。ベルトユニット１の継目なしベルト２がデバイスの直線状の歩行可能部分内に配置されると、それらは平面を形成する。継目なしベルト２によって形成される平面は、クラウン歯車ホイール、駆動および／または支持構造体を配置する設計要件に起因して、部分的に間隙を有する。有利な実施形態は、駆動歯車１２内でのクラウン歯車の組合せである。循環の上部直線部分内に配置されるベルトユニット１は、それらのロール３の回転軸線を整列させる。好ましい実施形態として、クラウン歯車１５は、この位置において駆動歯車１２内に完全に収容される。したがって、ベルト２間の設計間隙は狭く、駆動歯車１２の幅によってのみ決定される。
【００３８】
本発明によるトレッドミルは、あらゆる方向に移動され得る平面をランナーに提供する。実際には、バンドユニット１の継目なしベルト２間には、第１の空間方向の移動のみを引き受ける狭い表面が残る。しかし、これらの狭い表面は、継目なしベルトの厚さによって低くなり、したがってユーザが継目なしベルトを踏むときに届かないので、実際の動作に干渉しない。
【００３９】
要約すると、本発明は、全方向性トレッドミルを対象とし、この全方向性トレッドミルは、支持フレーム４と、第１の空間方向において回転して移動される継目なしベルト２とを含む、いくつかの接続されたベルトユニット１を有する。第２の空間方向において、ベルトユニット１の継目なしベルト２が移動される。継目なしベルト２は、好ましくは、ロ
ール３に取り付けられた歯車１２により、また、歯付き軸１３により、第２の空間方向において駆動される。全ての継目なしベルト２の移動は、ベルトユニット１間に配置された特別な歯形のクラウン歯車１５との連結によって同調される。
【図１】
2020503911.tif 000003
【図２】
2020503911.tif 000004
【図３】
2020503911.tif 000005
【図４】
2020503911.tif 000006
【図５】
2020503911.tif 000007
【図６】
2020503911.tif 000008
【図７】
2020503911.tif 000009
【国際調査報告】
2020503911.tif 000010
2020503911.tif 000011
2020503911.tif 000012
2020503911.tif 000013